(57)【特許請求の範囲】
【請求項１】
縦方向及び横方向を有し、身体対向面及びその反対側の非身体対向面と、腹側域と、背側域と、前記縦方向において前記腹側域と前記背側域との間に位置する中間域と、透液性を有する内層シートと、不透液性を有する外層シートと、それらの間に介在された吸収性コアとを含む愛玩動物用の吸収性物品において、
前記吸収性コアは、前記中間域に位置する愛玩動物の尻尾が挿通される切断ラインよりも前記腹側域にのみ配置されており、
前記内層シートの前記身体対向面には、少なくとも平面視において前記吸収性コアと重なる領域において、前記縦方向へ延びて前記横方向に交互に並ぶ畝部と溝部とから形成された凹凸部が位置し、
前記切断ラインの一部は、複数の前記畝部と複数の前記溝部とを交差するように前記横方向へ延びることを特徴とする前記吸収性物品。
【請求項２】
前記凹凸部は、前記吸収性物品の前記縦方向における一方の端縁から他方の端縁まで延びる請求項１に記載の吸収性物品。
【請求項３】
前記内層シートは、繊維不織布から形成されており、前記畝部の繊維密度は、前記溝部の繊維密度よりも低くなっている請求項１又は２記載の吸収性物品。
【請求項４】
前記内層シートの前記身体対向面側に位置し、前記横方向に離間対向する一対のバリアカフシートをさらに有し、
前記バリアカフシートは、前記吸収性コアの前記横方向外側に位置し、前記内層シートに固定された近位部と、前記近位部の前記横方向内側に位置し、前記内層シートから離間可能な遠位部と、前記背側域に位置する後端固定部とを有し、
前記凹凸部は、前記横方向に離間対向する一対の前記後端固定部の間に位置する請求項１〜３のいずれかに記載の吸収性物品。
【請求項５】
前記腹側域において前記吸収性コアと前記外層シートの間には、前記横方向へ延びる帯状弾性体が配置されており、前記帯状弾性体は、前記内層シート及び前記吸収性コアと非接合である請求項１〜４のいずれかに記載の吸収性物品。
【発明の詳細な説明】
【技術分野】
【０００１】
本発明は、犬や猫等の愛玩動物（ペット）の排泄物を吸収するための吸収性物品に関する。
【背景技術】
【０００２】
従来、犬や猫等の愛玩動物の身体に着用させるための吸収性物品は公知である。例えば、特許文献１には、腹側域と、背側域と、背側域と腹側域との間に位置する中間域と、透液性を有する内層シートと、不透液性を有する外層シートと、内外層シート間に介在された吸収性コアとを有する吸収シャーシとを含む愛玩動物用の吸収性物品が開示されており、吸収性物品の身体対向面は、表面が平坦な内層シートによって形成される。
【先行技術文献】
【特許文献】
【０００３】
【特許文献１】特開２００７−１６７００７号公報（Ｐ２００７−１６７００７Ａ）
【発明の概要】
【発明が解決しようとする課題】
【０００４】
特許文献１に開示された愛玩動物用の吸収性物品においては、愛玩動物の尻尾が挿通される切断ラインよりも腹側域側において、吸収性コアが縦長に延びていることによって、愛玩動物の排尿口と対向する吸収性コアの両端部において排泄された尿を両端部の間に位置する中央部に拡散させることができる。
【０００５】
しかし、吸収性コアの中央部は、愛玩動物の後肢に沿うように凹曲状を有し、比較的に幅狭であることから、端部から中央部へ向かって表面上を移動する尿が吸収されずに横漏れするおそれがあった。
【０００６】
本発明は、従来の愛玩動物用の吸収性物品の改良であって、吸収性コアの端部で排泄された尿を速やかに縦方向へ移動させて横漏れを防止することのできる愛玩動物用の吸収性物品の提供を課題にしている。
【課題を解決するための手段】
【０００７】
前記課題を解決するために、本発明は、縦方向及び横方向を有し、身体対向面及びその反対側の非身体対向面と、腹側域と、背側域と、前記縦方向において前記腹側域と前記背側域との間に位置する中間域と、透液性を有する内層シートと、不透液性を有する外層シートと、それらの間に介在された吸収性コアとを含む愛玩動物用の吸収性物品に関する。
【０００８】
本願に係る愛玩動物用の吸収性物品において、前記吸収性コアは、前記中間域に位置する愛玩動物の尻尾が挿通される切断ラインよりも前記腹側域にのみ配置されており、前記内層シートの前記身体対向面には、少なくとも平面視において前記吸収性コアと重なる領域において、前記縦方向へ延びて前記横方向に交互に並ぶ畝部と溝部とから形成された凹凸部が位置し、前記切断ラインの一部は、複数の前記畝部と複数の前記溝部とを交差するように前記横方向へ延びることを特徴とする。
【発明の効果】
【０００９】
本発明の１つ以上の実施の形態に係る愛玩動物用の吸収性物品は、平面視において吸収性コアを重なる領域において、内層シートは身体対向面に、縦方向へ延びて横方向に交互に並ぶ畝部と溝部とを有しているから、吸収性コアの配置領域に排出された尿が畝部や溝部に沿って縦方向へ移動し、横方向へ漏れ出るのを防止することができる。
【図面の簡単な説明】
【００１０】
図面は、本発明の特定の実施の形態を示し、発明の不可欠な構成ばかりでなく、選択的及び好ましい実施の形態を含む。
【図１】本発明に係る愛玩動物用の吸収性物品の一例として示す、第１実施形態に係る愛玩動物用の吸収性物品の使用状態における斜視図。
【図２】各弾性体の最大伸長時（弾性材料の収縮作用によるギャザーがなくなる程度）まで縦方向及び横方向に伸展した吸収性物品の一部破断展開平面図。
【図３】図２のＩＩＩ−ＩＩＩ線に沿う模式的断面図。
【図４】図２のＩＶ−ＩＶ線に沿う模式的断面図。
【図５】内層シートの一部拡大斜視図。
【図６】図２のＶＩ−ＶＩ線に沿う模式的断面図。
【図７】愛玩動物用の吸収性物品の変形例であって、内層シート及びバリアカフシートを取り外した状態において腹側域及び中間域を身体対向面側から視た平面図。
【発明を実施するための形態】
【００１１】
下記の各実施の形態は、図１〜７に示す愛玩動物用の吸収性物品に関し、発明の不可欠な構成ばかりではなく、選択的及び好ましい構成を含む。
【００１２】
図１〜４を参照すると、愛玩動物（ペット）用の吸収性物品１０は、互いに直交する縦方向Ｙ及び横方向Ｘと、愛玩動物５の身体と対向する身体対向面とその反対側に位置する非身体対向面とを有し、腹側域１１と、背側域１２と、縦方向Ｙにおいて腹側域１１と背側域１２と間に位置する中間域１３とを有する吸収シャーシ１４と、腹側域１１の両側縁から横方向Ｘの外方へ延びる一対のファスニングタブ１５（係止手段）とを含む。腹側域１１と背側域１２とは、それぞれ、愛玩動物５の後肢７よりも前方に位置する腹部、腰部を被覆する領域であって、中間域１３は、後肢７の大腿部間を含めて尻部全体を被覆する領域を意味する。吸収性物品１０は、その横方向Ｘにおける寸法を２等分する縦軸Ｐと、その縦方向Ｙにおける寸法を２等分する横軸Ｑとを有する。
【００１３】
ファスニングタブ１５の身体対向面には、メカニカルファスナのフック群から形成された第１ファスニング要素１８が配置されている。また、背側域１２の外面には、ファスニングタブ１５の第１ファスニング要素１８を脱離可能に止着するための、横方向Ｘへ延びるメカニカルファスナのループ群から形成された第２ファスニング要素１９を有する受止部２０がホットメルト接着剤（図示せず）を介して取り付けられている。吸収性物品１０の着用時において、一対のファスニングタブ１５の第１ファスニング要素１８と背側域１２の外面に位置する第２ファスニング要素１９とを係合することによって、ウエスト開口及び一対のレッグ開口が画成される。
【００１４】
＜吸収シャーシ＞
吸収シャーシ１４は、縦方向Ｙにおいて互いに対向して横方向Ｘへ延びる第１及び第２端縁１４ａ，１４ｂと、第１及び第２端縁１４ａ，１４ｂ間に位置して凹曲状に縦方向へ延びる両側縁（レッグ開口縁）１４ｃとを有する。吸収シャーシ１４は、さらに、身体対向面側に位置する透液性の内層シート２２と、吸収シャーシ１４の外形をなし、透湿性プラスチックフィルム、繊維不織布、それらのラミネートシート等から形成され、非身体対向面側に位置する不透液性の外層シート２３と、内外層シート２２，２３間の間に介在された吸液層２５とを含む。内層シート２２と外層シート２３とは、吸液層２５の周縁部から延出しており、該延出部位における両シート２２，２３のうちの少なくともいずれか一方の内面に塗布されたホットメルト接着剤（図示せず）を介して互いに接合されている。内層シート２２と外層シート２３との間であって吸液層２５の非身体対向面側には、不透液性かつ透湿性のプラスチックフィルムから形成された防漏シート２６が配置されており、両シート２２，２３のうちのいずれか一方の内面に塗布されたホットメルト接着剤（図示せず）を介して固定されている。
【００１５】
吸液層２５は、腹側域１１と中間域１３とに位置し、不水溶性かつ自己質量の１０倍以上の吸水力を有するいわゆる高吸収性ポリマー（ＳＡＰ）粒子、木材フラッフパルプ、オプションとして熱可塑性繊維を僅かに含む混合物から形成された半剛性の吸収性コア５１と、それを包被する、親水性かつ液拡散性を有する不織布又はティッシュペーパから形成されたコアラップシート５２とから構成される。コアラップシート５２は、内層シート２２及び／又は防漏シート２６とホットメルト接着剤を介して接合されている。
【００１６】
図２を参照すると、吸収性コア５１は、縦方向Ｙにおいて離間対向する第１及び第２端部５１Ａ，５１Ｂと、第１及び第２端部５１Ａ，５１Ｂの間に位置する中央部５１Ｃとを有する。第１端部５１Ａは腹側域１１側に位置し、第２端部５１Ｂは背側域１２側に位置する。吸収性コア５１の両側縁は、中央部５１Ｃにおいて凹曲状を有し、中央部５１Ｃは第１及び第２端部５１Ａ及び第２端部５１Ｂに比して幅狭である。
【００１７】
本実施形態において、吸液層２５は背側域１２に配置されていない。雄雌問わず愛玩動物５の排尿器は尾部６よりも腹側に位置していることから、通常の直立状態において尿が背側に回り込むことはなく、吸液層２５は少なくとも排尿器と対向する中間域１３と腹側域１１とに配置されていればよい。したがって、このように吸液層２５の特異な配置態様を採用することによって、尿が排泄されない背側域１２に吸液層２５を延在させる場合に比して、吸液層２５による吸収効率を向上させることができるとともに、製造コストを低減できる。さらに、吸液層２５によって背側域１２がごわつくことを防止し、背側域１２における通気性を向上して蒸れを防止することができる。
【００１８】
図２、図３及び図６を参照すると、内層シート２２は、繊維不織布から形成され、身体対向面に、縦方向Ｙに延びて横方向Ｘに並ぶ複数の畝部６１と、隣り合う畝部６１の間に位置し、縦方向Ｙに延びる複数の溝部６２から形成される凹凸部６０を有する。凹凸部６０は、少なくとも平面視において吸収層２５と重なる領域に位置しており、本実施形態において内層シート２２は、第１端縁１４ａから第２端縁１４ｂまで延びる縦長の矩形状のシートであって、畝部６１及び溝部６２が第１端縁１４ａから第２端縁１４ｂまで連続して延びるように、内層シート２２の身体対向面の全域に凹凸部６０が形成されている。
【００１９】
内層シート２２の畝部６１と溝部６２とは、例えば以下の方法によって形成することができる。内層シート２２を形成するための繊維ウェブを走行ベルトに載置して機械方向へ搬送し、機械方向と交差する交差方向に並ぶ複数のノズルから、加熱されたジェットエア、ジェットウォータ、ジェットスチーム等の流体を該繊維ウェブに対して連続的に噴射する。流体が噴射された繊維ウェブでは、流体が噴射された部分で溝部６２が形成され、その両側で畝部６１が形成される。かかる、内層シート２２は、凹凸部６０の延在方向である縦方向Ｙに沿った繊維配向性を有する。ここで、繊維配向性とは、内層シート２２を形成する繊維うち、約５０％以上の繊維の配向方向をいう。繊維が縦方向Ｙへ配向することで、尿等がより繊維配向に沿って縦方向Ｙに移動しやすくなる。内層シート２２の繊維密度は、１５〜３５ｇ／ｃｍ３の範囲であって、溝部６２の繊維密度は畝部６１の繊維密度よりも高くなっている。
【００２０】
図２及び図３を参照すると、内層シート２２の身体対向面における吸液層２５の横方向Ｘの外方には、縦軸Ｐに関して対称に位置する一対のバリアカフシート２８が取り付けられている。防漏シート２６の両側縁の横方向Ｘの外方には、縦方向Ｙへ延びる１条又は複数条のストランド状又はストリング状のサイド弾性体４７がバリアカフシート２８の近位部４１と外層シート２３の両側部との間、本実施形態では近位部４１と内層シート２２の両側部との間にホットメルト接着剤（図示せず）を介して収縮可能に取り付けられている。
【００２１】
外層シート２３とバリアカフシート２８とは、腹背側域１１，１２において、内層シート２２と防漏シート２６との両側縁からさらに横方向Ｘの外方へ延出して互いに重なり合い、腹側サイドフラップ３８と背側サイドフラップ３９が形成されている。腹側サイドフラップ３８を形成する外層シート２３とバリアカフシート２８との両側縁部間には、一対のファスニングタブ１５の固定部１５ａが介在されており、両シート２３，２８の内面に塗布されたホットメルト接着剤（図示せず）を介して固定されている。
【００２２】
第１ファスニング要素１８と第２ファスニング要素１９とからなるファスニングシステムにおいて、それが所要の剥離強度を有するものであれば、第１ファスニング要素１８をフック群に替えて接着剤を塗布して形成してもよい。この場合には、第１ファスニング要素１８を保護するために、シリコンを塗布したセパレータで第１ファスニング要素１８の表面を被覆してもよい。ファスニングタブ１５を形成する基材シートは、例えば、プラスチックフィルム、繊維不織布、それらのラミネートやクラフト紙等の比較的に剛性及び引張強度の高いシート材料から形成することが好ましい。また、本発明の所要の効果を奏する限りにおいて、ファスニングタブ１５を用いることなく、腹側サイドフラップ３８に設けられた第１ファスニング要素１８を直接第２ファスニング要素１９に脱離可能に係合してもよい。
【００２３】
図３を参照すると、バリアカフシート２８は、吸収シャーシ１４の両側部の一部を形成する近位部４１と、腹背側域１１，１２において内層シート２２及び外層シート２３の肌対向面に固定された前端固定部４２及び後端固定部４３と、前後端固定部間において縦方向Ｙへ延びる、バリアカフシート２８の内側縁を内方へ折り返すことによって形成された遠位部（自由縁部）４４とを有する。遠位部４４には、縦方向Ｙへ延びる１条又は複数条のストランド状又はストリング状のカフ弾性体４５が伸長状態で収縮可能に取り付けられる。遠位部４４は、吸収性物品１０の着用状態において、カフ弾性体４５の収縮作用によって内層シート２２の身体対向面から離間し、排泄物の横漏れを防止するための一対の防漏カフが形成される。
【００２４】
本実施形態において、カフ弾性体４５とサイド弾性体４７とは、繊度２８０〜５００ｄｔｅｘのストリング状又はストランド状の弾性材料を約２．０〜３．０倍、好ましくは、２．２〜２．５倍に伸長して収縮可能に取り付けられたものであって、各弾性体４５，４７に求められる所要の収縮力によって、複数条の弾性体における離間寸法（ピッチ）を適宜設定することができる。また、各弾性体４５，４７を構成する弾性材料の繊度や伸長倍率を均一にせずに互いに異なるように設定することもできる。
【００２５】
本実施形態においては、サイド弾性体４７は、吸収シャーシ１４の縦方向Ｙの全域、すなわち、第１端縁１４ａと第２端縁１４ｂとの間において縦方向Ｙへ一連に延びている。一方、カフ弾性体４５は、第１端縁１４ａから吸液層２５よりも背側域１２側まで延在している。サイド弾性体４３及びカフ弾性体４４は、実質的に伸縮性を発現する伸縮機能部分と、実質的に伸縮性を発現しない、いわゆるスナップバック（弾性部材のうちシートに固着されていない非固着部分が、自らの収縮によりシートに固着されている接合端部近傍まで戻ること）した非伸縮機能部分とを有する。
【００２６】
図２及び図３を参照すると、吸収シャーシ１４の腹側域１１には、内層シート２２と防漏シート２６との間において横方向Ｘへ延びる、帯状の腹側弾性体２９が配置される。腹側弾性体２９は、天然又は合成ゴム製や発泡性のポリウレタン製の糸ゴム、平ゴム（ウレタンフォーム）やリボン状の弾性体から形成されるものであって、本実施形態においては、発泡性ポリウレタン製の平ゴムが配置されている。腹側弾性体２９は、腹側域１１の比較的に広い範囲に収縮力を作用して身体にフィットさせるために、所要の幅寸法（縦方向Ｙの寸法）を有するものであることが好ましい。具体的には、腹側弾性体２９の長さ寸法（横方向Ｘの寸法）は、吸収シャーシ１４の腹側域１１の幅寸法（横方向Ｘの寸法）Ｗ１の約５５〜９０％の大きさを有し、腹側弾性体２９の中央部の幅寸法（縦方向Ｙの寸法）は約２０〜４０ｍｍである。サイド弾性体４７の端部は、腹側弾性体２９の両端部と平面視において互いに重なり、腹側弾性体２９と内層シート２２との間に配置されており、内層シート２２に接合され、腹側弾性体２９と非接合である。
【００２７】
図３〜図５を参照すると、腹側弾性体２９は、吸収性コア５１と平面視において互いに重なっており、さらに吸収性コア５１の両側縁から横方向Ｘの外方へ延出している。本実施形態において、腹側弾性体２９は、非身体対向面側において横方向Ｘへ離間して不連続に配置されたホットメルト接着剤を塗布してなる接合部４０を介して防漏シート２６及び外層シート２３に固定されており、身体対向面側は、吸収性コア５１及び内層シート２２に固定されていない。
【００２８】
吸収性物品１０の着用状態において、吸収性コア５１の第１端部５１Ａと第２端部５１Ｂとは、それぞれ、雄の排尿口と雌の排尿口とに対向して排泄された尿を直接吸収する主たる吸収部として機能するのに対し、それらの間に位置する中間部５１Ｃは、第１端部５１Ａ又は第２端部５１Ｂに吸収された尿が拡散するための副次的な吸収部として機能する。中間部５１Ｃは、その両側縁が後肢に沿う凹曲状を有し、かつ、副次的な吸収部として機能するものであるから、第１及び第２端部５１Ａ，５２Ｂよりも幅狭であって、第１及び第２端部５１Ａ，５２Ｂの表面上に滞留した尿が中間部５１Ｃに移動したときに、中間部５１Ｃの両側から尿が横漏れするおそれがある。特に、中間部５１Ｃの縦方向Ｙにおける一端部側の部分に尿が吸収されてその吸収容量を超えた場合には、中間部５１Ｃの中央部や他端部側へ尿が拡散する前に横漏れするおそれがある。
【００２９】
本実施形態における吸収性物品１０においては、内層シート２２の身体対向面（表面）の少なくとも吸収性コア５１と平面視において重なる領域に、縦方向Ｙへ延びて横方向Ｘへ交互に並ぶ畝部６１と溝部６２とからなる凹凸部６０が形成されていることから、第１端部５１Ａ又は第２端部５１Ｂにおいて排泄された尿が、速やかに中間部５１Ｃ、さらに縦方向Ｙにおいて対向する他方の端部側へ移動、拡散させることができる。このように、内層シート２２の表面上を尿が速やかに縦方向Ｙへ移動することによって、吸収性コア５１の両側からの横漏れを防止できるとともに、吸収性コア５１全域で尿を吸収することができ、尿が速やかに縦方向Ｙへ移動されず、部分的に尿が吸収されない部分が形成される場合に比して、全体的な吸収効率を向上させることができる。また、凹凸部６０では、凸部のみが身体に接触するようになることから、平坦なシートに比して身体に対する接触面積が減少し、排尿後において濡れた内層シート２２が接触する面積が比較的小さくなるため、皮膚のかぶれを防止して良好な装着感を与えることができる。さらに、畝部６１及び溝部６２は第１端縁１４ａから第２端縁１４ｂまで連続して延びているから、身体対向面が平坦なシートに比して第１及び第２端縁１４ａ，１４ｂ間の通気性を向上させることができる。
【００３０】
また、凹凸部６０において、畝部６１の繊維密度は溝部６２の繊維密度よりも低くなっていることから、毛細管現象によって内層シート２２の表面に排泄された尿が溝部６２に集中してそれに沿って縦方向Ｙへ移動しやすくなる。さらに、繊維密度の高い溝部６２に尿が引き込まれることから、吸液層２５内へ尿を素早く吸収させることができる。また、吸収性物品の着用時において尻尾を開口に挿通して腹側域及び／又は背側域を身体に宛がうときに、特に、腹側域は下方へ垂れ下がるような態様となってファスニング操作がし難くなるところ、表面に凹凸部６０を有する内層シート２２が吸収性物品１０の縦方向Ｙにおける全域に延びていることによって、横方向Ｘへの剛性が比較的に高くなり、かかる腹側域１１の垂れ下がりを抑制し、ファスニング操作が比較的に容易になる。さらに、内層シート２２が横方向Ｘにおいて比較的に高い剛性を有することから、横方向Ｘへ収縮可能に配置された腹側弾性体２９が内層シート２２と固定されていた場合には、その収縮性が阻害されるおそれがあるところ、腹側弾性体２９は内層シート２２に固定されず、防漏シート２６と外層シート２３とに固定されているので、その収縮性が阻害されるおそれはない。
【００３１】
内層シート２２による凹凸部６０がかかる技術的効果を奏するためには、畝部６１の最も嵩高い部分における厚さ寸法（厚さ方向Ｚにおける寸法）Ｄ１が溝部６２の厚さ寸法Ｄ２の約１．２〜１．７倍であることが好ましい（図５参照）。前者が後者の約１．７倍超えの場合には、溝部６２が比較的に深くなりすぎて身体に当接したときに違和感を与えるおそれがあり、前者が後者の約１．２倍未満の場合には、溝部６２が比較的に浅くなりすぎて、上記のような内層シート２２の表面に凹凸部６０形成されることによる効果を得ることができないおそれがある。
【００３２】
図２を参照すると、吸液層２５よりも背側域１２側には、愛玩動物５の尾部６を挿通する開口（挿通孔）を形成するための切断ライン（ミシン目）５５が配置される。切断ライン５５は、平面視において互いに重なる内層シート２２、防漏シート２６及び外層シート２３を貫通する。切断ライン５５の一部は、複数の畝部６１と複数の溝部６２とを交差するように横方向Ｘへ延びており、本実施形態では切断ライン５５が略Ｕ字状であって、Ｕ字状の底部が複数の畝部６１及び溝部６２を交差するように横方向Ｘに延びている。
【００３３】
切断ライン５５に沿って吸収シャーシ１４の一部を切断し、各シート２２，２３，２６が接合又は非接合された状態における舌片５６（図１参照）を外側へ向けて折り曲げることによって開口が形成される。既述のとおり、切断ライン５５の一部が、凹凸部６０を形成する畝部６１と溝部６２とに交差するように横方向Ｘへ延びているので、おむつ１０の運搬中や保管状態において、切断ライン５５が不用意に分離されることはない。開口は、尾部６を挿通するだけでなく、尾部６の真下に位置する肛門から排泄される排泄物（糞）を外部に排出できるように、肛門と対向することができる程度の大きさを有することが好ましい。このように、開口に尾部６を挿通するとともに肛門を露出させることによって、吸収シャーシ１４内に収容された排泄物が被毛に絡んでしまうことを防止することができる。また、舌片５６は、吸収シャーシ１４から分離（切り取り）可能であって、舌片５６を分離することによって、舌片５６に肛門から排泄された排泄物がそれに付着するのを防止することができる。
【００３４】
図２及び図６を参照すると、バリアカフシート２８の後端固定部４３は、第２端縁１４ｂから吸収性コア５１の背側域１２側の端縁の近傍まで延びており、背側域１２では、バリアカフシート２８の非身体対向面側の略全域が接合部６４を介して対向する内外層シート２２，２３に接合された状態であって、横方向Ｘに離間する一対の後端固定部４３の間には内層シート２２が位置している。バリアシート２８の後端固定部４３間において表面に凹凸部６０を有する内層シート２２が露出して愛玩動物５の身体に直接的に当接されるので、その表面が平滑な場合に比して、身体との間に適度な摩擦抵抗が生じてずれ止め効果を奏し得る。さらに、後端固定部４３と内層シート２２との境界部分ではバリアカフシート２８のシート厚による段差が生じ、身体に当接したときに違和感を与えやすくなるところ、一対の後端固定部４３間に凹凸部６０が存在しているので、かかる違和感を与え難くすることができる。また、背側域１２は、愛玩動物５の身体に接触した場合に腹側域１１に比して毛が当接して抜けやすいが、身体に対する接触面に凹凸部６０が位置していることで、繊維密度の低い畝部６１に抜け毛が入り込みやすくなり、繊維密度の高い溝部６２において抜け毛を保持しやすくすることができる。
【００３５】
図７は、吸収性物品１０の変形例の一例を示す図であって、吸収シャーシ１４から内層シート２２及びバリアカフシート２８を取り外した状態において腹側域１１及び中間域１２を身体対向面側から視た平面図である。本変形例においては、吸液層２５において吸収性コア５１の中間部５１Ｃの第１及び第２端部５１Ａ，５１Ｂ側のそれぞれには、第１括れ部分６５と第２括れ部分６６のそれぞれが位置する。第１及び第２括れ部分６５，６６の両側縁は、縦軸Ｐへ向かって先鋭かつ凸状に延びており、吸液層２５は第１及び第２括れ部分６５，６６において、局所的にその横方向Ｘの寸法が小さくなっている。
【００３６】
例えば、吸収性コア５１の両側縁全体が直状であったり、なだらかな曲状であったりする場合には、歩行時の後肢７の前後方向の動きによって中間部５１Ｃ側へ比較的に幅広の第１及び第２端部５１Ａ，５１Ｂが引き寄せられて後肢７の可動領域へ移動し、それが当接することによって後肢７の可動を妨げるおそれがある。本実施形態においては、中間部５１Ｃにおいて、第１及び第２端部５１Ａ，５１Ｂと隣接する領域に、第１及び第２括れ部分６５，６６が位置することによって、吸収性コア５１の幅寸法が局所的に小さくなり、吸液層２５の両側縁に沿ってそれを縦方向Ｙへ引っ張ろうとする力の伝達を分断、遮断するので、連動性が抑制される。それによって、着用状態において、後肢７や身体の動きによって、吸液層２５が位置ずれして、後肢７の可動が妨げられるおそれはない。さらに、凹凸部６０を有する内層シート２２が吸液層２５の全域に延びていることによって横方向Ｘへの剛性が比較的に高くなるため、吸収性コア５１において横方向Ｘへの剛性が比較的に低くなる第１及び第２括れ部分６５，６６を設けた場合であっても、該部分において吸収性コア５１が横方向Ｘに沿って折れ曲がって分断されるのを抑制することができ、吸液性コア５１が第１端部５１Ａから第２端部５１Ｂまで連続して延びた状態を維持することができる。
【００３７】
かかる技術的効果を奏するためには、第１端部５１Ａ及び／又は第２端部５１Ｂの横方向Ｘの寸法Ｗ２と、第１及び第２括れ部分６１，６２における最狭部分の横方向Ｘの寸法Ｗ３と、吸収性コア５１の縦方向Ｙにおける寸法を２等分する横軸Ｑ１上における中間部５１Ｃの横方向Ｘの寸法Ｗ４との大きさにおける相関関係が、Ｗ２≧Ｗ４＞Ｗ３であることが好ましい。また、第１及び第２括れ部分６５，６６は、それらのうちの少なくとも一方のみが形成されていてもよいし、両側縁は先鋭三角状のほかに、凸曲状や横方向Ｘへ延びるスリット等であってもよい。
【００３８】
吸収性物品１０を構成する部材には、特に明記されていない限りにおいて、本明細書に記載されている材料のほかに、この種の分野において通常用いられている公知の材料を制限なく用いることができる。また、本明細書において使用されている「第１」および「第２」等の用語は、同様の要素、位置等を単に区別するために用いてある。
【００３９】
以上に記載した本発明に関する開示は、少なくとも下記事項に整理することができる。
縦方向及び横方向を有し、身体対向面及びその反対側の非身体対向面と、腹側域と、背側域と、前記縦方向において前記腹側域と前記背側域との間に位置する中間域と、透液性を有する内層シートと、不透液性を有する外層シートと、それらの間に介在された吸収性コアとを含む愛玩動物用の吸収性物品において、前記吸収性コアは、前記中間域に位置する愛玩動物の尻尾が挿通される切断ラインよりも前記腹側域にのみ配置されており、前記内層シートの前記身体対向面には、少なくとも平面視において前記吸収性コアと重なる領域において、前記縦方向へ延びて前記横方向に交互に並ぶ畝部と溝部とから形成された凹凸部が位置する。
【００４０】
上記段落００３９に開示した本発明は、少なくとも下記の実施の形態を含むことができる。該実施の形態は、分離して又は互いに組み合わせて採択することができる。
（１）前記凹凸部は、前記吸収性物品の前記縦方向における一方の端縁から他方の端縁まで延びる。
（２）前記内層シートは、繊維不織布から形成されており、前記畝部の繊維密度は、前記溝部の繊維密度よりも低くなっている。
（３）前記切断ラインの一部は、複数の前記畝部と複数の前記溝部とを交差するように前記横方向へ延びる。
（４）前記内層シートの前記身体対向面側に位置し、前記横方向に離間対向する一対のバリアカフシートをさらに有し、前記バリアカフシートは、前記吸収性コアの前記横方向外側に位置し、前記内層シートに固定された近位部と、前記近位部の前記横方向内側に位置し、前記内層シートから離間可能な遠位部と、前記背側域に位置する後端固定部とを有し、前記凹凸部は、前記横方向に離間対向する一対の前記後端固定部の間に位置する。
（５）前記腹側域において前記吸収性コアと前記外層シートの間には、前記横方向へ延びる帯状弾性体が配置されており、前記帯状弾性体は、前記内層シート及び前記吸収性コアと非接合である。
【符号の説明】
【００４１】
５  愛玩動物
１０  愛玩動物用の吸収性物品
１１  腹側域
１２  背側域
１３  中間域
１５  ファスニングタブ
２２  内層シート
２３  外層シート
２８  バリアカフシート
２９  腹側弾性体
４３  後端固定部
５１  吸収性コア
５５  切断ライン
６０  凹凸部
６１  畝部
６２  溝部
Ｘ  横方向
Ｙ  縦方向
【要約】
【課題】排尿の横漏れを防止できる愛玩動物用の吸収性物品の提供。
【解決手段】
透液性を有する内層シート２２と、不透液性を有する外層シート２３と、それらの間に介在された吸収性コア５１とを含む愛玩動物用の吸収性物品において、前記吸収性コアは、中間域１３に位置する前記愛玩動物の尻尾が挿通される切断ライン５５よりも腹側域１１にのみ配置されており、前記内層シートの身体対向面には、少なくとも平面視において前記吸収性コアを重なる領域において、縦方向Ｙへ延びて横方向Ｘに交互に並ぶ畝部６１と溝部６２とから形成された凹凸部６０が位置する。
【選択図】図２【図１】
0005714170.tif 000002
【図２】
0005714170.tif 000003
【図３】
0005714170.tif 000004
【図４】
0005714170.tif 000005
【図５】
0005714170.tif 000006
【図６】
0005714170.tif 000007
【図７】
0005714170.tif 000008